(57)【要約】【課題】  基板の数を増加させたりすることなく（光軸が水平に指向せしめられたＬＥＤ光源を実装するための基板を、柱状の支持部材の側面にのみ取り付けるだけで）、一方の方向（例えば下方の方向）に光を配光制御して出射させることが可能な（照射範囲を広範囲なものにすることが可能な）照明装置を提供する。【解決手段】  柱状の支持部材の側面２６ａにのみ照明用光源１と配光制御用レンズ２を配置し、配光制御用レンズ２は、照明用光源１からの光を、一方の方向（例えば下方の方向）Ｙに出射させるようになっており、前記柱状の支持部材の一方の方向Ｙの側の頂面には、前記配光制御用レンズ２からの出射光を取り込んで導光させる導光部材９２が配置されている。【選択図】      図１６
2012164544.tif 000002
【特許請求の範囲】
【請求項１】
柱状の支持部材の側面にのみ照明用光源と配光制御用レンズを配置し、前記配光制御用レンズは、前記照明用光源からの光を、前記柱状の支持部材の中心軸線と垂直な所定の基準軸に対して左右のいずれか一方の方向または前記所定の基準軸に対して上下のいずれか一方の方向に出射させるようになっており、前記柱状の支持部材の前記一方の方向の側の頂面には、前記配光制御用レンズからの出射光を取り込んで導光させる導光部材が配置されていることを特徴とする照明装置。
【請求項２】
請求項１記載の照明装置において、前記導光部材の前記支持部材の頂面側の面の前記支持部材の頂面からはみ出さない部分には、反射手段として、反射ドット、または、溝、または、凹凸が形成されていることを特徴とする照明装置。
【請求項３】
請求項１または請求項２記載の照明装置において、前記導光部材の前記支持部材の頂面側の面の前記支持部材の頂面からはみ出さない部分に接して、反射部材が設けられていることを特徴とする照明装置。
【請求項４】
請求項１乃至請求項３のいずれか一項に記載の照明装置において、前記導光部材の外周部には、導光部材に入光した配光制御用レンズからの出射光を導光部材の内側に反射させるためのカットが施されていることを特徴とする照明装置。
【発明の詳細な説明】
【技術分野】
【０００１】
本発明は、照明装置に関する。
【背景技術】
【０００２】
従来、例えば特許文献１、特許文献２に示されているように、水平面に対して垂直に配置された板状の基板を具備し、ＬＥＤ光源の光軸が基板に対して垂直になるようにＬＥＤ光源が基板に実装されたＬＥＤ照明装置、ＬＥＤランプが知られている。
【０００３】
特許文献１に示されているＬＥＤ照明装置では、水平面に対して垂直に配置された基板に実装されたＬＥＤ光源の光軸が、水平に指向せしめられている。そのため、垂直な基板に実装されたＬＥＤ光源からの光の一部が下向きに照射される。また、特許文献１に示されているＬＥＤ照明装置では、水平面に対して垂直に配置された基板とは別個に、水平面に対して鋭角をなすように配置された基板が設けられており、その基板の下側の面にＬＥＤ光源が実装されている。更に、その基板に実装されたＬＥＤ光源からの光が下向きに照射される。その結果、特許文献１に示されているＬＥＤ照明装置では、垂直な基板に実装されたＬＥＤ光源および水平面に対して鋭角をなす基板に実装されたＬＥＤ光源から、水平面と様々な角度をなす下向きの光を照射することができる。
【０００４】
また、特許文献２に示されているＬＥＤランプは、図１、図２に示すように（図１は斜視図、図２は断面図）、支持部材１０４と、口金１０７とを有し、支持部材１０４の側面には、６つの板状基板１１１が配置され、支持部材１０４の頂面には、１つの六角基板１１２が配置され、６つの板状基板１１１および１つの六角基板１１２には、ＬＥＤ１０２が縦横に複数個配置されている。
【０００５】
しかしながら、特許文献１、特許文献２のＬＥＤ照明装置、ＬＥＤランプでは、水平向きの光の他に、水平向きに対して垂直方向の向きの光を出射させるために、光軸が水平に指向せしめられたＬＥＤ光源とは別個に、光軸が垂直方向の向きに指向せしめられたＬＥＤ光源をさらに設ける必要がある。その結果、特許文献１、特許文献２のＬＥＤ照明装置、ＬＥＤランプでは、ＬＥＤ照明装置、ＬＥＤランプ全体のコストが嵩んでしまうという問題がある。
【０００６】
この問題点を解決するために、光軸が水平向きに対して垂直の向きに指向せしめられたＬＥＤ光源を設ける必要なく水平面と様々な角度をなす下向き（あるいは上向き）の光を照射することができるＬＥＤ照明装置、ＬＥＤランプが当業者間に望まれている。
【０００７】
詳細には、光軸が下向き（あるいは上向き）に指向せしめられたＬＥＤ光源を実装するための基板を、光軸が水平に指向せしめられたＬＥＤ光源を実装するための基板とは別個に設ける必要なく、水平面と様々な角度をなす下向き（あるいは上向き）の光を照射することができるＬＥＤ照明装置、ＬＥＤランプが当業者間に望まれている。
【０００８】
すなわち、基板の数を削減しつつ、水平面と様々な角度をなす下向き（あるいは上向き）の光を照射することができるＬＥＤ照明装置、ＬＥＤランプが当業者間に望まれている。
【先行技術文献】
【特許文献】
【０００９】
【特許文献１】特開２０１０−１７９６６４号公報
【特許文献２】特開２０１０−１８２７９６号公報
【発明の概要】
【発明が解決しようとする課題】
【００１０】
本発明は、基板の数を増加させたりすることなく（光軸が水平に指向せしめられたＬＥＤ光源を実装するための基板を、柱状の支持部材の側面にのみ取り付けるだけで）、一方の方向（例えば下方の方向）に光を配光制御して出射させることが可能な（照射範囲を広範囲なものにすることが可能な）照明装置を提供することを目的としている。
【課題を解決するための手段】
【００１１】
上記課題を解決するために、請求項１記載の発明は、柱状の支持部材の側面にのみ照明用光源と配光制御用レンズを配置し、前記配光制御用レンズは、前記照明用光源からの光を、前記柱状の支持部材の中心軸線と垂直な所定の基準軸に対して左右のいずれか一方の方向または前記所定の基準軸に対して上下のいずれか一方の方向に出射させるようになっており、前記柱状の支持部材の前記一方の方向の側の頂面には、前記配光制御用レンズからの出射光を取り込んで導光させる導光部材が配置されていることを特徴としている。
【００１２】
また、請求項２記載の発明は、請求項１記載の照明装置において、前記導光部材の前記支持部材の頂面側の面の前記支持部材の頂面からはみ出さない部分には、反射手段として、反射ドット、または、溝、または、凹凸が形成されていることを特徴としている。
【００１３】
また、請求項３記載の発明は、請求項１または請求項２記載の照明装置において、前記導光部材の前記支持部材の頂面側の面の前記支持部材の頂面からはみ出さない部分に接して、反射部材が設けられていることを特徴としている。
【００１４】
また、請求項４記載の発明は、請求項１乃至請求項３のいずれか一項に記載の照明装置において、前記導光部材の外周部には、導光部材に入光した配光制御用レンズからの出射光を導光部材の内側に反射させるためのカットが施されていることを特徴としている。
【発明の効果】
【００１５】
請求項１乃至請求項４記載の発明によれば、柱状の支持部材の側面にのみ照明用光源（例えばＬＥＤ）と配光制御用レンズを配置し、前記配光制御用レンズは、前記照明用光源（例えばＬＥＤ）からの光を、前記柱状の支持部材の中心軸線と垂直な所定の基準軸に対して左右のいずれか一方の方向または前記所定の基準軸に対して上下のいずれか一方の方向に出射させるようになっており、前記柱状の支持部材の前記一方の方向の側の頂面には、前記配光制御用レンズからの出射光を取り込んで導光させる導光部材が配置されているので、基板の数を増加させたりすることなく（すなわち、光軸が水平に指向せしめられたＬＥＤ光源を実装するための基板を、柱状の支持部材の側面にのみ取り付けるだけで）、一方の方向（例えば下方の方向）に様々な角度をなす光を出射させることができ（例えば下方への照射範囲を広範囲なものにすることができ）、前記柱状の支持部材の前記一方の方向の側の頂面に対向してグローブの頂部が位置するように、グローブ（例えば乳白色の小さな径のグローブ）が取り付けられるときにも、グローブの支持部材の頂面と対向する付近にダークスポットが発生するのを防止できる。
【図面の簡単な説明】
【００１６】
【図１】特許文献２に示されているＬＥＤランプの斜視図である。
【図２】特許文献２に示されているＬＥＤランプの断面図である。
【図３】本発明の照明装置（照明ランプ）の照明灯（例えば街路灯）への適用例を示す図である。
【図４】本発明の照明装置（照明ランプ）の照明灯（例えば街路灯）への適用例を示す図である。
【図５】本発明の照明装置（照明ランプ）の照明灯（例えば街路灯）への適用例を示す図である。
【図６】本発明の照明装置（照明ランプ）の照明灯（例えば街路灯）への適用例を示す図である。
【図７】本発明の照明装置（照明ランプ）の照明灯（例えば街路灯）への適用例を示す図である。
【図８】本発明の照明用レンズ、照明装置の構成例を示す図である。
【図９】図８の照明用レンズの入射部の拡大図である。
【図１０】図８の照明用レンズの出射部の拡大図である。
【図１１】照明用レンズが図８のようになっている場合の出射光路を示す図である。
【図１２】６つの各配光制御用レンズの出射部からの出射光の出射方向（照射方向）を概略的に示す図である。
【図１３】支持部材の頂面に設けられる覆い部材を示す図である。
【図１４】支持部材の頂面に設けられる覆い部材を示す図である。
【図１５】グローブの頂部付近に発生するダークスポットを説明するための図である。
【図１６】本発明の照明装置（照明ランプ）の構成例を示す図（断面図）である。
【図１７】導光板の斜視図である。
【図１８】導光板の平面図である。
【図１９】反射部材（例えば、反射シート）を示す図である。
【図２０】導光板から出射される出射光を概略的に示す図である。
【図２１】図１６の照明装置の照明灯（街路灯）への適用例を示す図である。
【図２２】図１６の照明装置を用いた図２１の構成の照明灯（街路灯）の指向特性を示す図である。
【図２３】図１３の照明装置を用いた図３の構成の照明灯（街路灯）の指向特性を示す図である。
【図２４】図１６の照明装置の変形例を示す図である。
【図２５】図２１の上下を逆さにした図である。
【発明を実施するための最良の形態】
【００１７】
以下、本発明を実施するための最良の形態を図面に基づいて説明する。
【００１８】
図３、図４、図５、図６は、本発明の照明装置（照明ランプ）の照明灯（例えば街路灯）への適用例を示す図である。なお、図３は照明灯（例えば街路灯）５０の全体の斜視図、図４は図３の照明装置（照明ランプ）２１の部分の斜視図、図５は図４の照明装置（照明ランプ）２１のＡ−Ａ線における断面図、図６は図４の照明装置（照明ランプ）２１の方向Ｂから見た概略平面図である。
【００１９】
先ず、図４、図５、図６を参照すると、この照明装置（照明ランプ）２１では、正八角柱状の支持部材２６の８つの長方形の側面２６ａに、８つの基板２２が取り付けられている。
【００２０】
そして、８つの基板２２上には、照明用光源（例えばＬＥＤ光源）１（図５の例では、各基板２２ごとに、それぞれ、６つの照明用光源（例えばＬＥＤ光源）１）が所定間隔を隔てて設置され、各照明用光源（例えばＬＥＤ光源）１のそれぞれに対応させて後述のような配光制御用レンズ２が設けられている。なお、図６では、簡単にするため、照明用光源（例えばＬＥＤ光源）１、配光制御用レンズ２の図示を省略している。また、図７には、６つの各照明用光源（ＬＥＤ光源）１および６つの各照明用光源（例えばＬＥＤ光源）１のそれぞれに対応した配光制御用レンズ２が設置された１つの基板２２の斜視図が示されている。
【００２１】
図５を参照すると、照明用光源（例えばＬＥＤ光源）１は、光軸が水平に指向せしめられて基板２２上に実装されている。また、配光制御用レンズ２は、照明用光源（例えばＬＥＤ光源）１からの光を、後述のように、正八角柱状の支持部材２６の中心軸線Ｚと垂直な所定の基準軸Ｘ１（後述のように照明用光源（例えばＬＥＤ光源）１の光軸と一致している）に対して左右のいずれか一方の方向または前記所定の基準軸Ｘ１に対して上下のいずれか一方の方向（図３、図４、図５、図７に図示の例では、下方の方向Ｙ）に配光制御して出射するように取り付けられている。
【００２２】
図５、図７に示されている各配光制御用レンズ２（より詳細には、６つの各配光制御用レンズ２（１）、２（２）、２（３）、２（４）、２（５）、２（６））には、例えば、本願出願人による先願（特願２０１１−６１８３）に記載の照明用レンズが用いられている。
【００２３】
図８は本願出願人による先願（特願２０１１−６１８３）に記載の照明用レンズ（配光制御用レンズ）２の構成例を示す図である。また、図９は図８の配光制御用レンズの入射部の拡大図、図１０は図８の配光制御用レンズの出射部の拡大図である。
【００２４】
図８を参照すると、配光制御用レンズ２は、基部面Ｂに対して垂直な所定の基準軸Ｘ１を有し、照明用光源（例えばＬＥＤ光源）１から放射された光が入射する入射部３と、入射部３から入射した光を前記所定の基準軸Ｘ１に対して左右のいずれか一方の方向または前記所定の基準軸Ｘ１に対して上下のいずれか一方の方向（図８に図示の例では、下方の方向Ｙ）に出射させる出射部４とを備えている。
【００２５】
なお、配光制御用レンズ２は、例えば透明なＰＭＭＡ（アクリル樹脂）や透明なＰＣ（ポリカーボネート樹脂）などの所定の屈折率を有する材料で形成されている。また、配光制御用レンズ２は、図７に示すように、図８の奥行き方向に（すなわち、紙面の手前側から奥側方向に）柱状形状のものとなっている。また、以下では、出射部４は、入射部３から入射した光を、前記一方の方向として下方の方向Ｙに出射させるものとして説明する。
【００２６】
図８、図９を参照すると、入射部３は、前記所定の基準軸Ｘ１を第１の軸とするとき、該第１の軸Ｘ１（θ１＝０°とする）を中心とした所定の角度範囲△θ１（例えば、−２２．５°〜２２．５°）の光を該第１の軸Ｘ１と略平行なものにする第１の入射面（レンズ面）１１と、前記第１の軸Ｘ１と前記一方の方向（下方の方向Ｙ）に所定の角度θ２（例えば、−４５°）をなす第２の軸Ｘ２を中心とした所定の角度範囲△θ２（例えば、−２２．５°〜２２．５°）の光を該第２の軸Ｘ２と略平行なものにする第２の入射面（レンズ面）１２と、前記第１の軸Ｘ１と前記一方の方向（下方の方向Ｙ）とは反対の方向（上方の方向）に所定の角度θ３（例えば、４５°）をなす第３の軸Ｘ３を中心とした所定の角度範囲△θ３（例えば、−２２．５°〜２２．５°）の光を該第３の軸Ｘ３と略平行なものにする第３の入射面（レンズ面）１３とを有している。
【００２７】
また、図８、図１０を参照すると、出射部４は、第１のレンズカット部１４と、第２のレンズカット部１５とを有している。
【００２８】
第１のレンズカット部１４は、前記一方の方向（下方の方向Ｙ）の側に、第１の屈折面４１と、該第１の屈折面４１と連続した面である第２の屈折面４２とを備え、前記一方の方向（下方の方向Ｙ）とは反対の方向（上方の方向）の側に、第１の全反射面４３を備え、前記第１の屈折面４１は、前記第２の入射面（レンズ面）１２で前記第２の軸Ｘ２と略平行なものにされた光を屈折して前記一方の方向（下方の方向Ｙ）の側に出射し、前記第１の全反射面４３は、前記第１の入射面（レンズ面）１１で前記第１の軸Ｘ１と略平行なものにされた光を全反射して前記第２の屈折面４２に向かわせ、前記第２の屈折面４２は、前記第１の全反射面４３で全反射された光を屈折して前記一方の方向（下方の方向Ｙ）の側に出射するようになっている。なお、第１の屈折面４１は、基部面Ｂに対して所定のカット角θ４をなし、また、第２の屈折面４２は、基部面Ｂに対して所定のカット角θ５をなし、また、第１の全反射面４３は、基部面Ｂに対して所定のカット角θ６をなしている。なお、図８、図１０の例では、カット角θ４がカット角θ５よりも大きいものとなっているが、後述のように、出射光の出射方向を所望のものに変える場合、カット角θ４がカット角θ５と同じか、あるいは、カット角θ５よりも小さいものとなることもある。
【００２９】
また、第２のレンズカット部１５は、前記一方の方向（下方の方向Ｙ）の側に、第３の屈折面４４を備え、前記一方の方向（下方の方向Ｙ）とは反対の方向（上方の方向）の側に、第２の全反射面４５を備え、前記第２の全反射面４５は、前記第３の入射面（レンズ面）１３で前記第３の軸Ｘ３と略平行なものにされた光を全反射して前記第３の屈折面４４に向かわせ、前記第３の屈折面４４は、前記第２の全反射面４５で全反射された光を屈折して前記一方の方向（下方の方向Ｙ）の側に出射するようになっている。なお、第３の屈折面４４は、基部面Ｂに対して所定のカット角θ７をなし、また、第２の全反射面４５は、基部面Ｂに対して所定のカット角θ８をなしている。
【００３０】
なお、この配光制御用レンズ２において、第１のレンズカット部１４と第２のレンズカット部１５との間に形成された谷部Ｖは、前記基部面Ｂに対して前記第１の入射面（レンズ面）１１よりも高い位置にある。
【００３１】
また、図８の例では、照明用光源（例えばＬＥＤ光源）１は、配光制御用レンズ２の入射部３の第１、第２、第３の入射面（レンズ面）１１、１２、１３からほぼ等距離のところに位置決めされている。なお、図８の例では、照明用光源（例えばＬＥＤ光源）１の光軸が、配光制御用レンズ２の所定の基準軸Ｘ１と一致したものとなっている。以下の説明では、照明用光源（例えばＬＥＤ光源）１の光軸が、配光制御用レンズ２の所定の基準軸Ｘ１と一致しているものとする。
【００３２】
図１１には、配光制御用レンズ２の出射部４が図８、図１０のようになっている場合の出射光路が示されている。図１１からもわかるように、この配光制御用レンズ２では、第１のレンズカット部１４の第１の屈折面４１からは、第２の入射面１２で第２の軸Ｘ２と略平行なものにされた光が屈折されて前記一方の方向（下方の方向Ｙ）の側に、基部面Ｂに対して角度φ１で出射する。また、第１のレンズカット部１４の第２の屈折面４２からは、第１の全反射面４３で全反射された光が屈折されて前記一方の方向（下方の方向Ｙ）の側に、基部面Ｂに対して角度φ２で出射する。また、第２のレンズカット部１５の第３の屈折面４４からは、第２の全反射面４５で全反射された光が屈折されて前記一方の方向（下方の方向Ｙ）の側に、基部面Ｂに対して角度φ３で出射する。このように、出射部４の各屈折面４１、４２、４４からは、前記一方の方向（下方の方向Ｙ）の側に、それぞれ、一般に互いに異なる角度φ１、φ２、φ３の出射光が出射するので、下方の方向Ｙに様々な角度をなす光（出射光）を出射させることができる（下方への照射範囲を広範囲なものにすることができる）。
【００３３】
なお、後述のように、配光制御用レンズ２の出射部４の第１のレンズカット部１４、第２のレンズカット部１５の各カット角θ４、θ５、θ６、θ７、θ８は、適宜、所望の角度に変えることができて、これにより、出射部４からの出射光の出射方向（照射方向）を所望のものに変えることができる。例えば、上述の例では、出射部４の各屈折面４１、４２、４４からは、前記一方の方向（下方の方向Ｙ）の側に、それぞれ、一般に互いに異なる角度φ１、φ２、φ３の出射光が出射するようになっているが、各カット角θ４、θ５、θ６、θ７、θ８を適宜変えることにより、出射光の角度φ１、φ２、φ３を任意所望のものにすることができ、角度φ１、φ２、φ３のうちの例えばいずれか２つを同じものにしたりすることもできる。
【００３４】
再び図５、図７を参照すると、図５、図７に示されている６つの各配光制御用レンズ２（１）、２（２）、２（３）、２（４）、２（５）、２（６）の出射部４の第１のレンズカット部１４、第２のレンズカット部１５の各カット角θ４、θ５、θ６、θ７、θ８は、６つの各配光制御用レンズ２（１）、２（２）、２（３）、２（４）、２（５）、２（６）ごとに、例えば少しずつ相違しており、これにより、６つの各配光制御用レンズ２（１）、２（２）、２（３）、２（４）、２（５）、２（６）の出射部４からの出射光の出射方向（照射方向）を図１２に概略的に示すように（出射光Ｄ１、Ｄ２、Ｄ３、Ｄ４、Ｄ５、Ｄ６のように）、少しずつ変えて、より一層多様なものにすることができ、下方の方向Ｙにより一層様々な角度をなす光（出射光）を出射させることができる（下方への照射範囲をより一層広範囲なものにすることができる）。すなわち、図５、図７の例では、６つの各配光制御用レンズ２（１）、２（２）、２（３）、２（４）、２（５）、２（６）の出射部４の第１のレンズカット部１４、第２のレンズカット部１５の各カット角θ４、θ５、θ６、θ７、θ８は、正八角柱状の支持部材２６の頂面２６ｂに最も近い配光制御用レンズ２（１）からの出射光が支持部材２６直下の最も近い領域を照射し、正八角柱状の支持部材２６の頂面２６ｂから最も遠い配光制御用レンズ２（６）からの出射光が支持部材２６から最も離れた遠い領域を照射するというように、配光制御用レンズ２（１）から配光制御用レンズ２（６）に向かうにつれて、徐々に遠い領域を照射するようになっている。また、隣接する配光制御用レンズによって出射光が遮られることがないように、配光制御用レンズ２（１）から配光制御用レンズ２（６）に向かうにつれて、レンズ２の高さ（図８に示すように所定の基準軸Ｘ１方向の高さＨ）が徐々に高くなっている。
【００３５】
なお、図３、図４、図５において、符号２７は、各照明用光源（例えばＬＥＤ光源）１に電流を供給するための口金である。また、各照明用光源（例えばＬＥＤ光源）１に電流を供給する駆動回路などは、例えば支持部材２６内（内部が中空になっている支持部材２６内）に内蔵されている。また、正八角柱状の支持部材２６の頂面２６ｂには、内部が中空になっている支持部材２６内を隠すため、例えば図１３に側面図で示すように覆い板２８を取り付けることができる。図１４には、覆い板２８の平面図が示されており、図１３、図１４の例では、覆い板２８は正八角柱状の平板部材（不透明なアクリル樹脂などの部材）からなっている。
【００３６】
また、図３を参照すると、この照明灯（街路灯）５０は、床面（あるいは地面、路面など）を照射するために、上述した照明装置（照明ランプ）２１の口金２７が、床面（あるいは地面、路面など）から上向きに延びて先端がＵ字状に湾曲している支柱５１に設けられているソケット５２に装着されている。詳細には、基板２２が水平面（図示せず）に対して垂直になるように（すなわち、鉛直方向となるように）、照明装置２１の口金２７がソケット５２に装着されている（照明装置２１が鉛直方向下向きに装着されている）。換言すれば、照明装置２１は、例えば口金を有する水銀灯、例えばフィラメントなどのような発光部と口金とを有する電球などに対して互換性を有するように構成されている。
【００３７】
また、図３に示す照明灯（街路灯）５０では、照明灯（街路灯）５０の支柱５１に皿部５３が設けられており、皿部５３に取り付けられたグローブ（アウターレンズ）５４によって照明装置２１が覆われている。すなわち、図３の構成では、上述した照明装置（照明ランプ）２１の正八角柱状の支持部材２６の前記一方の方向（下方の方向Ｙ）の側の頂面２６ｂに対向してグローブ５４の頂部５４ｂが位置するように、グローブ５４が取り付けられている。
【００３８】
このような構成の照明灯（街路灯）５０では、基板２２が水平面（例えば水平の床面（あるいは地面、路面など））に対して垂直になるように（すなわち、鉛直方向となるように）、照明装置２１の口金２７がソケット５２に装着されており、照明装置２１の各配光制御用レンズ２によって照明用光源（例えばＬＥＤ光源）１からの光を例えば図１１、図１２に示したように配光制御することによって、例えば特許文献１、特許文献２のように基板の数を増加させたりすることなく（すなわち、光軸が水平に指向せしめられた照明用光源（例えばＬＥＤ光源）１を実装するための基板２２を、柱状の支持部材２６の側面２６ａにのみ取り付けるだけで）、下方の方向Ｙに様々な角度をなす光（出射光）を出射させることができ、下方への照射範囲を近場（照明灯（街路灯）５０の直下付近）から遠方まで広範囲なものにすることができて、床面（あるいは地面、路面など）を近場（照明灯（街路灯）５０の直下付近）から遠方まで広範囲に効率よく照射することができる。
【００３９】
ところで、上述した照明装置（照明ランプ）２１を用いた図３の構成の照明灯（街路灯）５０では、照明装置（照明ランプ）２１の正八角柱状の支持部材２６の前記一方の方向（例えば下方の方向Ｙ）の側の頂面２６ｂに対向してグローブ５４の頂部５４ｂが位置するように、グローブ（例えば乳白色のＰＭＭＡ（アクリル樹脂）や乳白色のＰＣ（ポリカーボネート樹脂）などからなる小さな径のグローブ）５４が取り付けられるとき、図１５に示すように、グローブ５４の頂部５４ｂ付近には配光制御用レンズ（例えば２（１））からの光が達せず、これにより、例えば乳白色のグローブ５４の頂部５４ｂ付近が暗くなるという問題（グローブ５４の頂部５４ｂ付近にダークスポット５５が発生するという問題）がある。なお、このような問題は、本願出願人による先願（特願２０１１−６１８３）に記載の照明用レンズ（配光制御用レンズ）２を用いる場合に限らず、本願出願人による他の先願（特願２０１０−２４５５７３や特願２０１１−９５０２）に記載の照明用レンズ（配光制御用レンズ）を用いる場合にも生ずる。すなわち、このような問題は、柱状の支持部材の側面にのみ照明用光源（例えばＬＥＤ）と配光制御用レンズを配置する構成を用いる場合に生ずる。以下では、説明の便宜上、本願出願人による先願（特願２０１１−６１８３）に記載の上述した照明用レンズ（配光制御用レンズ）２を用いるものとして説明する。
【００４０】
本発明は、基板の数を増加させたりすることなく（すなわち、光軸が水平に指向せしめられた照明用光源（例えばＬＥＤ光源）１を実装するための基板２２を、柱状（例えば正八角柱状）の支持部材２６の側面２６ａにのみ取り付けるだけで）、一方の方向（例えば下方の方向Ｙ）に様々な角度をなす光を出射させることができ（例えば下方への照射範囲を広範囲なものにすることができ）、さらに、柱状（例えば正八角柱状）の支持部材２６の前記一方の方向（例えば下方の方向Ｙ）の側の頂面２６ｂに対向してグローブ５４の頂部５４ｂが位置するように、グローブ（例えば乳白色のＰＭＭＡ（アクリル樹脂）や乳白色のＰＣ（ポリカーボネート樹脂）などからなる小さな径のグローブ）５４が取り付けられるときにも、グローブ５４の頂部５４ｂ付近にダークスポット５５が発生するのを防止することの可能な照明装置および照明灯を提供することを意図している。
【００４１】
このため、本発明の照明装置（照明ランプ）は、柱状の支持部材の側面にのみ照明用光源（例えばＬＥＤ）と配光制御用レンズを配置し、前記配光制御用レンズは、前記照明用光源（例えばＬＥＤ）からの光を、前記柱状の支持部材の中心軸線と垂直な所定の基準軸に対して左右のいずれか一方の方向または前記所定の基準軸に対して上下のいずれか一方の方向に出射させるようになっており、前記柱状の支持部材の前記一方の方向の側の頂面には、前記配光制御用レンズからの出射光を取り込んで導光させる導光部材（例えば導光板や導光拡散板）が配置されていることを特徴としている。
【００４２】
なお、以下では、便宜上、導光部材が導光板であるとして説明する。また、前記一方の方向が下方の方向Ｙであるとして説明する。また、照明装置（照明ランプ）の基本的な構成は、図４乃至図１２に示したものであるとして説明する。
【００４３】
図１６は本発明の照明装置（照明ランプ）の構成例を示す図（断面図）である。図１６の照明装置（照明ランプ）９１は、図５に示した照明装置（照明ランプ）２１において、正八角柱状の支持部材２６の前記一方の方向（下方の方向Ｙ）の側の頂面２６ｂに、配光制御用レンズ（例えば２（１））からの出射光(例えばＤ１)を取り込んで導光させる導光部材（以下の例では導光板とする）９２が配置されたものとなっている。ここで、導光板９２の本体９２ａは、例えば透明なＰＭＭＡ（アクリル樹脂）や透明なＰＣ（ポリカーボネート樹脂）などで形成されており、導光板９２は、約３ｍｍ〜５ｍｍ程度の範囲の厚さのものとなっている。
【００４４】
また、図１６の例では、導光板９２の支持部材２６の頂面２６ｂ側には、反射部材（例えば、反射シート）９３が設けられている。
【００４５】
図１７には、導光板９２の斜視図が示されている。また、図１８（ａ），（ｂ）には、図１７のそれぞれ上方向Ｋ、下方向Ｌから見た導光板９２の平面図が示されている。なお、図１８（ａ）には、正八角柱状の支持部材２６の頂面２６ｂの外輪郭が破線で示されている。また、図１９（ａ），（ｂ）には、反射部材（例えば、反射シート）９３の斜視図、平面図が示されている。
【００４６】
図１６、図１７（ａ），（ｂ）、図１８（ａ），（ｂ）を参照すると、導光板９２は、その幅（径）Ｗ１が支持部材２６の頂面２６ｂの幅（径）Ｗ０よりも広く（大きく）なっており、導光板９２の支持部材２６の頂面２６ｂ側の面９２ｂには、反射手段として、反射ドット９２ｃなどが形成されている。ただし、反射ドット９２ｃなどは、導光板９２の支持部材２６の頂面２６ｂ側の面９２ｂの支持部材２６の頂面２６ｂからはみ出さない部分に形成されている。すなわち、導光板９２の支持部材２６の頂面２６ｂ側の面９２ｂであっても、導光板９２の支持部材２６の頂面２６ｂからはみ出した部分には、配光制御用レンズ（例えば２（１））からの出射光を入光させるため、反射ドット９２ｃなどは形成されていない。また、導光板９２の支持部材２６の頂面２６ｂとは反対側の面９２ｄには、導光板９２を導光する光を外部に出射させるため、反射ドット９２ｃなどは形成されていない。なお、導光板９２の面９２ｂに形成されている反射ドット９２ｃは、そのドット径が約０．５ｍｍ〜１．５ｍｍ程度の範囲のものであり、その間隔（ピッチ）は約１ｍｍ〜２ｍｍ程度の範囲のものとなっている。
【００４７】
また、導光板９２の外周部には、導光板９２に入光した配光制御用レンズ（例えば２（１））からの出射光(例えばＤ１)を所定方向に（すなわち、導光板９２の内側に）反射させるための所定の形状の面（例えば、放物面、あるいは、４５°Ｃ面など）のカット９２ｅが施されている。なお、所定の形状の面（例えば、放物面、あるいは、４５°Ｃ面など）のカット９２ｅには、反射膜を形成してもよいが、カット９２ｅ自体が全反射の条件を満たすように加工されていてもよい。
【００４８】
また、図１９（ａ），（ｂ）を参照すると、反射部材（例えば、反射シート）９３は、その幅（径）Ｗ２が支持部材２６の頂面２６ｂの幅（径）Ｗ０と同程度のものとなっている。すなわち、反射部材（例えば、反射シート）９３は、導光板９２の支持部材２６の頂面２６ｂ側の面９２ｂのうち、反射ドット９２ｃが形成されている部分に対応させて設けられており、光の反射について反射ドット９２ｃを補完する機能を有している。換言すれば、反射部材（例えば、反射シート）９３は、導光板９２の支持部材２６の頂面２６ｂ側の面９２ｂの支持部材２６の頂面２６ｂからはみ出さない部分に接して設けられており、導光板９２の支持部材２６の頂面２６ｂ側の面９２ｂの支持部材２６の頂面２６ｂからはみ出した部分には設けられていない。
【００４９】
このような構成では、図２０に概略的に示すように、配光制御用レンズ（例えば２（１））からの出射光Ｄ１は、導光板９２の支持部材２６の頂面２６ｂ側の面９２ｂのうち、導光板９２の支持部材２６の頂面２６ｂからはみ出した部分（反射ドット９２ｃや反射シート９３が設けられていない部分）を透過して、導光板９２の外周部に形成されている所定の形状の面（例えば、放物面、あるいは、４５°Ｃ面など）のカット９２ｅによって、導光板９２の内側に反射され、導光板９２内を、支持部材２６の頂面２６ｂ側の面９２ｂと支持部材２６の頂面２６ｂとは反対側の面９２ｄとによって反射（全反射）されながら（導光板９２の面９２ｂと面９２ｄとの間で反射（全反射）を繰り返しながら）、外側から内側に向けて導光する。このようにして、導光板９２の外周部に形成されている所定の形状の面（例えば、放物面、あるいは、４５°Ｃ面など）のカット９２ｅによって反射された光は、導光板９２内を外側から内側に向けて反射（全反射）を繰り返しながら導光し、外側から内側に向けて反射（全反射）を繰り返しながら導光する過程で、図２０に示すように、導光板９２の面９２ｂに形成されている反射ドット９２ｃあるいは反射部材（例えば、反射シート）９３に入射した光は、その一部が反射ドット９２ｃあるいは反射部材（例えば、反射シート）９３によって導光板９２の面９２ｄに向けて主に下方の方向Ｙに反射されて、導光板９２の面９２ｄから外部に出射光Ｆとして出射される。すなわち、配光制御用レンズ（例えば２（１））からの出射光Ｄ１は、外側から内側に向けて反射（全反射）を繰り返しながら導光する過程で、反射ドット９２ｃあるいは反射部材（例えば、反射シート）９３による反射によって、主に下方の方向Ｙに出射光Ｆとして出射される。
【００５０】
このように、導光板９２から主に下方の方向Ｙに光（出射光Ｆ）が出射することで、図３と同様に正八角柱状の支持部材２６の頂面２６ｂに対向してグローブ５４の頂部５４ｂが位置するように、グローブ（例えば乳白色のＰＭＭＡ（アクリル樹脂）や乳白色のＰＣ（ポリカーボネート樹脂）などからなる小さな径のグローブ）５４を取り付けて、図２１に示すように照明灯（街路灯）９９を構成するときにも、グローブ５４の頂部５４ｂ付近には、導光板９２からの出射光Ｆが照射し、ダークスポットが発生するのを防止することができる。
【００５１】
図２２には、図１６の照明装置（照明ランプ）９１を用いた図２１の構成の照明灯（街路灯）９９の指向特性が示されている。また、比較のため、図２３には、図１３の照明装置（照明ランプ）２１を用いた図３の構成の照明灯（街路灯）５０の指向特性が示されている。なお、図２２、図２３において、角度は、鉛直下方方向を０°とし、水平方向を９０°とし、鉛直上方方向を１８０°としたときに、鉛直下方方向から鉛直上方方向に向けての角度である。
【００５２】
図２３から、図１３の照明装置（照明ランプ）２１を用いた図３の構成の照明灯（街路灯）５０では、鉛直下方方向から鉛直上方方向に向けて０°〜約３０°の角度範囲において、所定の照度の照射がなされないことがわかる。これに対して、図２２から、図１６の照明装置（照明ランプ）９１を用いた図２１の構成の照明灯（街路灯）９９では、鉛直下方方向から鉛直上方方向に向けて０°〜約３０°の角度範囲において（特に０°〜約１０°の角度範囲において）、所定の照度の照射がなされるようになったことがわかる。すなわち、この指向特性から、図１６の照明装置（照明ランプ）９１を用いた図２１の構成の照明灯（街路灯）９９では、図１３の照明装置（照明ランプ）２１を用いた図３の構成の照明灯（街路灯）５０においてグローブ５４の頂部５４ｂ付近に生じたダークスポット５５を防止することができることがわかる。
【００５３】
なお、上述の例では、支持部材２６の頂面２６ｂに、導光板９２を単体として配置したが、図２４（ａ），（ｂ）に示すように（図２４（ａ）は斜視図、図２４（ｂ）は図２６（ａ）のＥ−Ｅ線における断面図）、照明装置（照明ランプ）９１として、さらに、雨などの浸入を防ぐための防水カバー（例えば透明なＰＭＭＡ（アクリル樹脂）や透明なＰＣ（ポリカーボネート樹脂）などで形成されたカバー）９７を設け、この防水カバー９７の頂部９７ｂに、導光板９２を設けることもできる。なお、図２４（ａ），（ｂ）の例では、導光板９２は、防水カバー９７と一体のものとして形成されている。このような構成では、照明装置（照明ランプ）９１が街路灯などのように雨などに晒される場所で使用されるとき、照明装置（照明ランプ）９１の内部への雨などの浸入を防水カバー９７によって防ぐことができるとともに、前述したように街路灯などにおいてグローブ５４の頂部５４ｂ付近に生じたダークスポット５５を防止することができる。
【００５４】
また、上述の例では、導光板９２の支持部材２６の頂面２６ｂ側の面９２ｂの支持部材２６の頂面２６ｂからはみ出さない部分には、反射手段として、反射ドット（例えば印刷ドット）９２ｃが形成されているとしたが、導光板９２の支持部材２６の頂面２６ｂ側の面９２ｂには、反射手段として、反射ドット（例えば印刷ドット）９２ｃのかわりに、溝や凹凸などを形成することもできる。
【００５５】
また、上述の例では、導光板９２の支持部材２６の頂面２６ｂ側には、反射部材（例えば、反射シート）９３を設けており、導光板９２の支持部材２６の頂面２６ｂ側に反射部材（例えば、反射シート）９３を設けることで、導光板９２を導光する光の導光板９２の面９２ｄに向けての反射効率を高め、導光板９２から出射光Ｆを効率よく出射させることができるが、反射部材（例えば、反射シート）９３は、必ずしも設けられていなくともよい。
【００５６】
また、上述の例では、本願出願人による先願（特願２０１１−６１８３）に記載の照明用レンズ（配光制御用レンズ）２を用いるとして説明したが、本願出願人による他の先願（特願２０１０−２４５５７３や特願２０１１−９５０２）に記載の照明用レンズ（配光制御用レンズ）などを用いる場合にも（すなわち、柱状の支持部材の側面にのみ照明用光源（例えばＬＥＤ）と配光制御用レンズを配置する構成を用いる場合においては）、同様にして、支持部材２６の頂面２６ｂに導光板９２を設けることで、グローブ５４の頂部５４ｂ付近にダークスポットが発生するのを防止することができる。
【００５７】
また、上述の各例では、正八角柱状の支持部材２６が用いられ、８つの基板が設けられているが、支持部材２６としては正ｎ（ｎは３以上の整数）角柱状のものを用いることができ、これにｎ個の基板を設けることも可能である。
【００５８】
また、上述の例では、前記一方の方向が下方の方向Ｙであるとしたが、前記一方の方向が例えば上方の方向−Ｙである場合にも、図２５に示すように（図２１の上下を単に逆さにしたもの）、前記一方の方向が下方の方向Ｙである場合と全く同様に、グローブ５４の頂部５４ｂ付近にダークスポットが発生するのを防止することができる。
【００５９】
また、上述の各例では、ダークスポットが発生する部分がグローブ５４の頂部５４ｂ付近であるとしたが、ダークスポットが発生する部分は、グローブ５４の頂部５４ｂ付近だけとは限らず、グローブ５４の支持部材２６の頂面２６ｂと対向する付近である。また、ダークスポットは、支持部材２６の頂面２６ｂとこれに対向するグローブ５４の部分との距離が近づくほど顕著に現れる。本発明では、支持部材２６の頂面２６ｂに導光板９２を設けることで、支持部材２６の頂面２６ｂとこれに対向するグローブ５４の部分との距離が近づいた場合でも、グローブ５４の支持部材２６の頂面２６ｂと対向する付近をも含めて、ダークスポットの発生を防止することができる。
【００６０】
また、上述の各例では、導光部材９２が導光板であるとして説明したが、導光部材９２としては、導光板に限らず、導光拡散板などを用いることもでき、この場合も、導光板を用いた場合と同じ作用効果を得ることができる。
【産業上の利用可能性】
【００６１】
本発明は、例えば街路灯や道路灯、体育館などの屋内照明灯、室内照明灯、スポットライトなどに利用可能である。
【符号の説明】
【００６２】
１  照明用光源（例えばＬＥＤ光源）
２  照明用レンズ（配光制御用レンズ）
３  入射部
４  出射部
１１  第１の入射面（レンズ面）
１２  第２の入射面（レンズ面）
１３  第３の入射面（レンズ面）
１４  第１のレンズカット部
１５  第２のレンズカット部
４１  第１の屈折面
４２  第２の屈折面
４３  第１の全反射面
４４  第３の屈折面
４５  第２の全反射面
２１、９１  照明装置
２２  基板
２６  支持部材
２６ａ  支持部材２６の側面
２６ｂ  支持部材２６の頂面
２７  口金
５０、９９  照明灯（街路灯）
５１  支柱
５２  ソケット
５３  皿部
５４  グローブ（アウターレンズ）
５４ｂ  グローブ５４の頂部
９２  導光部材
９３  反射部材
９７  防水カバー
【図１】
2012164544.tif 000003
【図２】
2012164544.tif 000004
【図３】
2012164544.tif 000005
【図４】
2012164544.tif 000006
【図５】
2012164544.tif 000007
【図６】
2012164544.tif 000008
【図７】
2012164544.tif 000009
【図８】
2012164544.tif 000010
【図９】
2012164544.tif 000011
【図１０】
2012164544.tif 000012
【図１１】
2012164544.tif 000013
【図１２】
2012164544.tif 000014
【図１３】
2012164544.tif 000015
【図１４】
2012164544.tif 000016
【図１５】
2012164544.tif 000017
【図１６】
2012164544.tif 000018
【図１７】
2012164544.tif 000019
【図１８】
2012164544.tif 000020
【図１９】
2012164544.tif 000021
【図２０】
2012164544.tif 000022
【図２１】
2012164544.tif 000023
【図２２】
2012164544.tif 000024
【図２３】
2012164544.tif 000025
【図２４】
2012164544.tif 000026
【図２５】
2012164544.tif 000027